(57)【要約】【課題】踵骨と他の足根骨グループとの連結を強め、接地時等における踵骨の動揺を抑制するソックスを提供する。【解決手段】足に着用するソックス本体１１を基礎として、その要所に補強部分を設けたソックスについて、足の甲と足首の間の屈曲部から足の内外側面を経て踵骨の踵骨隆起部分の後側部分を回って１周し、当該踵骨を主として内方へ加圧する踵骨保持帯１５を補強部分として具備している踵骨保持構造を備えたソックス。【選択図】          図１
2010156074.tif 000002
【特許請求の範囲】
【請求項１】
足に着用するソックス本体を基礎としてその要所に補強部分を設けたソックスであって、足の甲と足首の間の屈曲部から足の内外側面を経て踵骨の踵骨隆起部分の後側部分を回って１周し、当該踵骨を主として内方へ加圧する踵骨保持帯を補強部分として具備している踵骨保持構造を備えたソックス。
【請求項２】
踵骨保持帯は、上記踵骨隆起部分の後側中央部を上下にて保持するために、踵部の内外側面にて二又状に分岐した二又状部分を有している請求項１記載の踵骨保持構造を備えたソックス。
【請求項３】
補強部分は、丸編み機、横編み機によって他の部分よりも強く編織された組織から成る請求項１記載の踵骨保持構造を備えたソックス。
【請求項４】
ソックス本体は、足指の付け根付近を取り巻くように設けた前部横方向補強帯を備えている請求項１記載の踵骨保持構造を備えたソックス。
【請求項５】
ソックス本体は、足の土踏まず付近を取り巻くように設けた中部横方向補強帯を備えている請求項１記載の踵骨保持構造を備えたソックス。
【請求項６】
ソックス本体は、足の甲の前部に位置する前湾曲部から、足首の後面の後湾曲部に至り、かつ、途中において踵骨保持帯と交叉し、全体としてほぼリング状に形成された縦方向補強帯を備えている請求項１記載の踵骨保持構造を備えたソックス。
【発明の詳細な説明】
【技術分野】
【０００１】
本発明は、足に着用するソックス本体を基礎としてその要所に補強部分を設けた、踵骨保持構造を備えたソックスに関するものである。
【背景技術】
【０００２】
ソックスは伸縮性生地から成り、足に着用して保護することを一つの目的とするものであるが、近年、ソックス本体の伸縮性生地の要所に、ゴム又はそれと同効の弾力性材料などから成る補強部分を追加して、足の特定の箇所に圧力を加えるものが、例えばスポーツ用などとして開発され、また使用されている。これまでのこの種のソックスには土踏まずの部分や足首に上記のような補強部分を配置したものが多いが、足底部の筋肉を補助して足の縦方向のアーチや横方向のアーチの形成を助けるものも知られており、かつ市販されている。
【０００３】
足底部のアーチは一種のばねとして機能するもので、運動時のみならず２足歩行のためにも必須不可欠である。そのアーチを形作る最重要の役割を持つ最重要部位は、最大の足根骨である踵骨であるが、踵骨は連結を靭帯に依存し、骨連結を持たないため、接地時に動揺を生じ易く、アーチによる体重分散やアキレス腱の収縮に過大な負担を掛けることがある。この問題に関係すると考えられる技術的提案を調査すると、例えば特開平１１−１２４７０２号が見出され、同号の発明には踵覆い部が開示されており、踵覆い部は、足首伸縮バンド部、土踏まず伸縮バンド部、外踝伸縮バンド部及び内踝伸縮バンド部で囲まれた領域に配設されている足の踝部分を覆うようになっている、と記載されている。しかしこのような構成では、踵骨の外縁を大まかに覆っているだけであり、踵骨を効果的に安定させることができるとは思えない。
【０００４】
【特許文献１】特開平１１−１２４７０２号
【発明の開示】
【発明が解決しようとする課題】
【０００５】
本発明は前記の点に着目し、理想的なアーチバランスを保持して足底部の負担を軽減させるためになされたもので、その課題は、踵骨と他の足根骨グループとの連結を強め、接地時等における踵骨の動揺を抑制することである。また、本発明の他の課題は、踵部分を効果的に固定することによってアーチバランスを保持し、足底部の負担を軽減することができる踵骨保持構造を備えたソックスを提供することである。
【課題を解決するための手段】
【０００６】
前記の課題を解決するため、本発明は、足に着用するソックス本体を基礎としてその要所に補強部分を設けたソックスとして、足の甲と足首の間の屈曲部から足の内外側面を経て踵骨の踵骨隆起部分の後側部分を回って１周し、当該踵骨を主として内方へ加圧する踵骨保持帯を具備するという手段を講じたものである。踵骨保持帯として、上記踵骨隆起部分の後側中央部を上下にて保持するために、踵部の内外側面にて二又状に分岐した二又状部分を有するものは、踵骨隆起部分に適切に配置されるので好ましい形態である。しかしながら、この形態に止まらず、帯状のままの形態、或いは踵骨隆起部分を包むカップのような形態によっても、本発明の課題を解決することができる。
【０００７】
上記の構成において、ソックス本体は一般的なソックス、靴下類或いはサポーターなどと同様編織によって形成される伸縮性生地より成り、その要所に補強部分を設けて本発明の特徴とする踵骨保持構造を備えたソックスが構成されるものである。補強部分は、丸編み機、横編み機によって他の部分よりも強く編織された組織によって形成することができるが、このような補強部分を設けることを当業界においては、ゴムを入れるというような言い方で表現することもある。なお、上記の強い編織組織と、ゴム又はそれと同効の加圧材料によることとの併用によって、補強部分を形成しても良い。強く編織された組織の形成方法には２重以上に編み込むこと、タック編みなどによる方法等従来公知の方法を適宜適用することができる。
【０００８】
本発明のソックスでは、足の甲と足首の間の屈曲部から足の内外側面を経て、踵骨の後側部分つまり踵骨隆起部分を回って１周し、当該踵骨を主として内方へ加圧する踵骨保持帯を補強部分として具備している。即ち、足の甲と足首の間から踵の後側を１周する帯状の踵骨保持帯をソックス本体に設けて、踵骨を主として内方へ加圧し、それによって踵骨と他の足根骨グループとの連結を強め、接地時等における踵骨の動揺を抑制するものである。
【０００９】
上記の踵骨保持帯は、上記踵骨隆起部分の後側中央部を上下にて保持するために、踵部の内外側面にて二又状に分岐した二又状部分を有している。このため、従来のように踵骨隆起部分の周囲を大まかに覆うのではなく、二又状部分から延長した二筋の帯状部分があたかも踵部分を中央部にて包むように押えて固定することになり、的確な作用を得ることができる。
【００１０】
上記ソックス本体は、足指の付け根付近を取り巻くように設けた前部横方向補強帯を備えていることが望ましい。前部横方向補強帯は、前側アーチホールドとして横方向圧迫を加えることによって足底部横アーチを持ち上げ、理想的なアーチバランスを形成するために設けられる。
【００１１】
上記ソックス本体は、また、足の土踏まず付近を取り巻くように設けた中部横方向補強帯を備えていることが望ましい。中部横方向補強帯は、内側及び外側アーチホールドとして縦方向圧迫と横方向圧迫を加え、足底部縦アーチを持ち上げ、理想的なアーチバランスを形成するために設けられる。
【００１２】
上記ソックス本体には、さらに、足の甲の前部に位置する前湾曲部から、足首の後面の後湾曲部に至り、かつ、途中において踵骨保持帯と交叉し、全体としてほぼリング状に形成された縦方向補強帯を備えることが望ましい。縦方向補強帯は、上記前部横方向補強帯と中部横方向補強帯で形成された横アーチ及び縦アーチで構成された、いわゆるトライアングルアーチを継続的に保持するために設けられる。
【００１３】
本発明は、踵骨保持帯によって踵骨を固定するいわゆるヒールロック機能を備えたソックスに該当するということもできる。よって、しっかりと足にフィットするソックス本体が基本であり、その着用によって、足の筋腱の機能を強化することも可能であるから、不備のある者にはそれを補い、健全な者にはより一層しっかりとした地歩を与える。よって本発明のソックスは、足に着用することによって上記のような機能を発揮するサポーターであるともいえる。
【発明の効果】
【００１４】
本発明は以上のように構成されかつ作用するものであるから、理想的なアーチバランスを保持して足底部の負担を軽減させることができ、踵骨と他の足根骨グループとの連結を強め、接地時等における踵骨の動揺を抑制することができるという効果を奏する。また、本発明によれば、踵部分を効果的に固定することによってアーチバランスを保持し、足底部の負担を軽減することができる踵骨保持構造を備えたソックスを提供する装置を提供することができる。
【発明を実施するための最良の形態】
【００１５】
以下、図示の実施形態を参照し、本発明に係る踵骨保持構造を備えたソックス１０について、より詳細に説明する。各図において、１１はソックス本体を示しており、一般的なソックス、靴下類或いはサポーターなどと同様に編織によって形成されるもので、伸縮性生地より成っている。本発明に係る踵骨保持構造を備えたソックス１０は、このソックス本体１１の要所に補強部分を設けて構成されるものである。
【００１６】
従ってソックス本体１１は、足に着用するために必要な、つま先部から踵部に至る足部と、踵部から足首を包む部分を含む袋状構造を有している。図１に例示したソックス本体１１において、１１ｊは平編み部、１１ｍはメッシュ編み部、また１１ｐはパイル編み部をそれぞれ示している。なお、パイル編み部等の編織構造及びそれらの配置構造は不可欠のものではなく、一つの実施形態と示したものである。
【００１７】
本発明に係るソックス１０は、足の甲１２と足首１３の間の屈曲部から足の内外側面を経て踵骨１４の踵骨隆起部分１４ａの後側部分を回って１周し、当該踵骨１４を主として内方へ加圧する帯状の踵骨保持帯１５を補強部分として具備している（図２参照）。この補強部分も、また、ソックス本体１１の編織時に丸編み機、横編み機等によって他の部分よりも強く編織された組織から成るものとする。このような組織は、ソックス本体１１の帯状の踵骨保持帯１５の部分において、例えば、強いタック編みにゴム入れをすることで高い圧迫力を引き出す構造をすることによって形成することができる。強いタック編みはコース方向にリブができるため、外見上はリブ編みに見えることによって踵骨保持体１５を他の部分と区別できる。
【００１８】
上記の踵骨保持帯１５は、踵骨隆起部分１４ａの後側中央部を上下にて保持して、内方へ加圧することを目的としており、そのために踵部の内外側面にて二又状に分岐した二又状部分１６を有している。具体的には、二又状部分１６から二筋の帯状部分１７、１８は後方へ移行して踵部の後側でつながり、あたかも踵部分の中央部、即ち、踵骨隆起部分１４ａの後側中央部を上下にて包むように押えて固定するように構成されている。
【００１９】
踵骨保持帯１５は二筋の帯状部分１７、１８によって踵骨１４を中央部において後方から主として内方へ加圧することが目的であり、二筋の帯状部分１７、１８については、この目的の達成を前提として、任意の範囲の帯幅に設定することができる。一方踵骨保持帯１５の、足の甲１２と足首１３の間の屈曲部に近い部分は、二筋の帯状部分１７、１８を所定の位置に配置することが目的であるので、上記屈曲部付近を過度に加圧しないように配慮して柔軟性や帯幅を決定する。
【００２０】
踵骨保持帯については上述の二又状に分岐した構造のものに限らないので、異なる形態のものについて説明を捕捉する。図３に示す踵骨保持帯１５′は、帯の幅が足の甲と足首の間の屈曲部から足の内外側面を経て踵骨の踵骨隆起部分の後側部分を回って１周するまで、ほぼ一様な幅の保持部１５ａを持つ変形例１を示している。変形例１において、踵骨隆起部分の後側中央部に向かうにつれて次第に幅が広くなるように保持部１５ａを形成しても良い。また、図４に示す踵骨保持帯１５″は、踵骨隆起部分の後側中央部を包むカップ状の保持部１５ｂを持つ変形例２を示している。何れの変形例も、他の構成については図１のものと同様で良いので、主要な構成についてのみ符号を援用し、詳細な説明は繰り返さない。
【００２１】
さらに、上記ソックス本体１１は足指の付け根付近を取り巻くように設けた前部横方向補強帯１９を備えている。前部横方向補強帯１９は、前側アーチホールドとして横方向圧迫を加えることによって足底部横アーチを持ち上げ、理想的なアーチバランスを形成するもので、そのために収縮性を強固なものとする手段として、母趾基節部から小趾基節部に至る足の幅方向へ断続的に設置している上面側強収縮部１９ａと、足の幅方向へ連続的に設置している足底側強収縮部１９ｂとを有しており（図１）、足底側強収縮部１９ｂの方が上面側強収縮部１９ａよりも収縮傾向が強い。
【００２２】
ソックス本体１１は、また、足の土踏まず付近を取り巻くように設けた中部横方向補強帯２０を備えている。上記中部横方向補強帯２０は、内側及び外側アーチホールドとして縦方向圧迫と横方向圧迫を加え、足底部縦アーチを持ち上げ、理想的なアーチバランスを形成するもので、そのために収縮性を強固なものとする手段として、上記と同様の強収縮部２０ａを足根中足関節が位置する部位に至る足上面から下面にわたって、幅方向へ断続的に設置している（図１）。なお、前部横方向補強帯１９と中部横方向補強帯２０は上部において不連続部分を有し（符号１１ｍの部分）、強固な収縮性を調整している。
【００２３】
ソックス本体１１は、さらに、足の甲の前部に位置する前湾曲部２１ａから、足首の後面の後湾曲部２１ｂに至り、全体としてほぼリング状に形成された縦方向補強帯２１を備えており、かつ、途中において踵骨保持帯１５と交叉している。縦方向補強帯２１は、縦アーチ及び横アーチの形成を継続的に保持する役割を果たすものであるが、上記前部横方向補強帯１９と中部横方向補強帯２０で形成された横アーチとともにトライアングルアーチを形成するためにも重要な役割を果たす。
【００２４】
上記前部横方向補強帯１９、中部横方向補強帯２０及び縦方向補強帯２１は、編み込み方法の工夫、調整その他の手段によって、収縮性を強固なものとするように構成されている。縦方向補強帯２１は、ソックス本体１１に中足部背面（足の上面）における緩みを抑え、継続的にトライアングルアーチを保持する。
【００２５】
このような構成を有する本発明に係る踵骨保持構造を備えたソックス１０を着用するときは、ソックス本体１１は通常のソックス同様に足にフィットするとともに、足の甲１２と足首１３の間の屈曲部から足の内外側面を経て、踵骨１４の踵骨隆起部分１４ａの後側部分を回って１周している、踵骨保持帯１５が、当該踵骨１４を主として内方へ加圧することになる。その結果、踵骨１４と他の足根骨グループとの連結が強められ、接地時等における踵骨１４の動揺を抑制し、安定性が著しく向上することとなる。
【００２６】
また、本発明に係るソックス１０は、足の甲１２の前部に位置する前湾曲部２１ａから足首１３の後面の後湾曲部２１ｂに至り、途中にて踵骨保持帯１５と交叉した縦方向補強帯２１を備えている。縦方向補強帯２１は、前記のように縦アーチ及び横アーチの形成を継続的に保持し、上記前部横方向補強帯１９と中部横方向補強帯２０で形成された横アーチ及び縦アーチで構成されたいわゆるトライアングルアーチの形成に寄与する。
【００２７】
このようにして、本発明に係るソックス１０は、歩行、ジョギングその他のスポーツにおける足の負担軽減と、機能向上に利用可能であり、サポーターとして目的部位の圧迫固定機能を有し、下半身のパワーを効率的に伝達することによって初動動作を速めることができる。また、身体の軸を正しく修正できる効果を有するため、Ｘ脚、Ｏ脚の補整にも有効であり、美しい立ち姿及び動的姿勢の実現に寄与する。
【図面の簡単な説明】
【００２８】
【図１】本発明に係る踵骨保持構造を備えたソックスの一例を示す斜視図である。
【図２】同上のソックスと足の骨等との関係を示す説明図である。
【図３】同じく本発明に係るソックスの変形例１を示す斜視図である。
【図４】同じく本発明に係るソックスの変形例２を示す斜視図である。
【符号の説明】
【００２９】
１０  踵骨保持構造を備えたソックス
１１  ソックス本体
１２  甲
１３  足首
１４  踵骨
１５、１５′、１５″  踵骨保持帯
１６  二又状部分
１７、１８  二筋の帯状部分
１９  前部横方向補強帯
２０  中部横方向補強帯
２１  縦方向補強帯
【図１】
2010156074.tif 000003
【図２】
2010156074.tif 000004
【図３】
2010156074.tif 000005
【図４】
2010156074.tif 000006